(57)【要約】【課題】本発明は、橋梁構築の工程上、橋桁の分割張り出し構築作業と、次の橋脚の橋桁柱頭部との構築作業を同時に行うことができ、その結果、橋梁全体としての構築工期をきわめて短くすることが出来、型枠装置の構造が複雑かつ重厚長大で作業性の悪いとの懸念も生じない橋梁構築方法及び橋梁構築装置を提供することを目的とするものである。【解決手段】本発明による橋梁構築方法及び橋梁構築装置は、立設された橋脚上に移動架設桁を架設し、該移動架設桁長手方向に沿い移動可能にして懸垂された一対の橋桁形成用型枠装置で、一の橋脚に予め形成された橋桁柱頭部両脇から均等に張り出し構築し橋桁を分割形成する工程と共に、橋桁柱頭部形成用型枠装置によって、前記一の橋脚に隣接する橋脚に新たに橋桁柱頭部を形成する工程を同時に実施し、橋脚上に橋桁を形成したことを特徴とするものである。【選択図】              図１
2004332425.tif 000002
【特許請求の範囲】
【請求項１】
立設された橋脚上に移動架設桁を架設し、
該移動架設桁長手方向に沿い移動可能にして懸垂された一対の橋桁形成用型枠装置で、一の橋脚に予め形成された橋桁柱頭部両脇から均等に張り出し構築し橋桁を分割形成する工程と共に、前記移動架設桁の橋桁架設方向先端側で懸垂され、移動架設桁に沿って移動可能な橋桁柱頭部形成用型枠装置によって、前記一の橋脚に隣接する橋脚に新たに橋桁柱頭部を形成する工程を同時に実施し、
前記一の橋脚側橋桁柱頭部の一方側橋桁形成部分が、既に形成されてある橋桁形成部分に接続された後には、前記移動架線桁の先端側を次に隣接する橋脚上に位置させるよう移動させ、
前記一の橋脚に隣接する橋脚に新たに形成された橋桁柱頭部両脇からは均等に張り出し構築すべく橋桁形成用型枠装置で橋桁を分割形成する工程と共に、さらに隣接する橋脚に橋桁柱頭部形成用型枠装置で次の新たな橋桁柱頭部を形成する工程とを同時実施することを順次繰り返し、橋脚上に橋桁を形成したことを特徴とする橋梁構築方法。
【請求項２】
立設された橋脚上に架設される移動架設桁と、
前記移動架設桁から各々懸垂され、前記橋脚のうち橋桁を張り出し構築すべき一方側橋脚の両脇に配置されて移動架設桁の長手方向に移動可能とされた一対の橋桁形成用型枠装置と、
前記移動架設桁から懸垂され、移動架設桁の長手方向端部側に配されて移動架設桁の長手方向に移動可能とされた橋桁の橋桁柱頭部形成用型枠装置と、
を備え、
前記橋桁形成用型枠装置は、移動架設桁から垂下する吊り下げ部材と、該吊り下げ部材に接続され、橋桁を張り出し構築すべき橋脚の橋桁柱頭部を基軸に橋桁架設方向両脇に配置され、橋桁を前記両脇から分割して張り出し構築する橋桁形成用型枠部材と、を有し、
前記橋桁の橋桁柱頭部形成用型枠装置は、移動架設桁から垂下する吊り下げ部材と、該吊り下げ部材に接続され、移動架設桁の長手方向端部側に位置する次の橋桁柱頭部構築方向に配置され、前記橋脚上に橋桁柱頭部を構築する橋桁柱頭部形成用型枠部材と、を有する、
ことを特徴とする橋梁構築装置。
【請求項３】
前記移動架設桁の長さは、前記橋脚間の少なくとも２倍以上の長さに構成されたことを特徴とする請求項１または請求項２記載の橋梁構築方法及び橋梁構築装置。
【発明の詳細な説明】
【０００１】
【発明の属する技術分野】
本発明は、立設された橋脚間に、プレストレスコンクリート等で形成された橋桁を分割して張り出し構築する橋梁構築装置に関するものである。
【従来の技術】
従来、例えばプレストレストコンクリート製からなる橋桁をいわゆる移動架設桁を用いて張り出し構築するものとしては、いわゆるＰ＆Ｚ工法と称される工法が一般的に知られている。
【０００２】
このＰ＆Ｚ工法は、立設された所定の橋脚間において、架設されるスパンより例えば約１５ｍないし２０ｍ程度長さの長い移動架設桁が使用される。
【０００３】
そして、この移動架設桁には一対の橋桁形成用型枠装置が長手方向に移動可能とされて懸垂される。
【０００４】
そして、この移動架設桁を使用しての作業の際には前記移動架設桁を橋脚上部等に支持する３基の架台や移動時に使用される先端補助支柱等も用いられる。
【０００５】
ここで、Ｐ＆Ｚ工法では、前記移動架設桁に懸垂された一対の橋桁形成用型枠装置を橋脚の両脇に配置させ、いわゆるやじろべいの原理を利用して絶妙な平衡バランスを取りながら橋桁の分割張り出し構築を行うものである。
【０００６】
しかして、このようなＰ＆Ｚ工法を用いることにより、いわゆる大スパンのＰＣ橋梁の施工であっても比較的簡単に構築することが可能とされる。
【０００７】
しかしながら、前記橋桁の分割張り出し構築を行うに際しては、まず橋脚上部側に橋桁柱頭部を構築することが必要となる。
【０００８】
何故ならこの橋桁柱頭部を構築した後、該橋桁柱頭部を基軸にしてその両脇に一対の橋脚形成用型枠装置を配し、もって橋桁の分割張り出し構築を行うものとされるからである。
【０００９】
このＰ＆Ｚ工法の詳細については特公昭５９−４７７６２号公報に記載されている。
【００１０】
【特許文献１】
特公昭５９−４７７６２号公報
【発明が解決しようとする課題】
しかるに、従来のＰ＆Ｚ工法によるいわゆるＰ＆Ｚ装置を用いて施工する場合につき考察すると、当該従来のＰ＆Ｚ装置ではいわゆる前方側（橋桁を構築すべき先端方向側）の橋桁形成用型枠装置を用いて橋桁柱頭部の構築を行うが、Ｐ＆Ｚ工法の工程順序の上から橋桁の分割張り出し構築作業を常に優先しなければならない。
【００１１】
すなわち、従来では、橋桁柱頭部が構築された橋脚両脇に一対の橋桁形成用型枠装置を配置し、該一対の橋桁形成用型枠装置により橋桁を分割張り出し構築し、必ずその作業の後に前方側（橋桁を構築すべき先端方向側）の橋桁形成用型枠装置を用いて橋桁柱頭部の構築するものであった。
【００１２】
このように従来では橋桁の分割張り出し構築作業と、次の橋脚における橋桁柱頭部の構築作業を決して同時に行えるものではなく、もって、その結果、橋梁全体の施工工期が長くならざるを得ず、その分作業コストが嵩むとの課題があった。
【００１３】
また、前方側の橋桁形成用型枠装置で橋桁柱頭部を構築するため、特に前方側橋桁形成用型枠装置は橋桁柱頭部の構築と橋桁の分割張り出し構築との双方に対応できる構造の型枠装置であることが必要であり、前記型枠装置の構造が複雑かつ重厚長大にならざるを得ず作業性の悪いものとなっていた（図１３，図１４参照）。
【００１４】
かくして、本発明は前記従来の課題に対処すべく創案されたもので、橋梁構築の工程上、その作業を常に所定の順番に沿って行う必要がない、すなわち橋桁の分割張り出し構築を行っているときは次の橋桁柱頭部の構築作業を同時に行えないとのことがなく、例えば、従来の様に、橋桁柱頭部が構築された橋脚両脇に一対の橋桁形成用型枠装置を配置し、該一対の橋桁形成用型枠装置により橋桁を分割張り出し構築し、その後に前方側（橋桁を構築すべき先端方向側）の橋桁形成用型枠装置を用いて橋桁柱頭部の構築するものでないため、橋桁の分割張り出し構築作業と、次の橋脚の橋桁柱頭部との構築作業を同時に行うことができ、その結果、橋梁全体としての構築工期をきわめて短くすることが出来、さらには、従来のように型枠装置の構造が複雑かつ重厚長大で作業性の悪いとの懸念も生じない橋梁構築方法及び橋梁構築装置を提供することを目的とするものである。
【課題を解決するための手段】
本発明による橋梁構築方法及び橋梁構築装置は、
立設された橋脚上に移動架設桁を架設し、
該移動架設桁長手方向に沿い移動可能にして懸垂された一対の橋桁形成用型枠装置で、一の橋脚に予め形成された橋桁柱頭部両脇から均等に張り出し構築し橋桁を分割形成する工程と共に、前記移動架設桁の橋桁架設方向先端側で懸垂され、移動架設桁に沿って移動可能な橋桁柱頭部形成用型枠装置によって、前記一の橋脚に隣接する橋脚に新たに橋桁柱頭部を形成する工程を同時に実施し、
前記一の橋脚側橋桁柱頭部の一方側橋桁形成部分が、既に形成されてある橋桁形成部分に接続された後には、前記移動架線桁の先端側を次に隣接する橋脚上に位置させるよう移動させ、
前記一の橋脚に隣接する橋脚に新たに形成された橋桁柱頭部両脇からは均等に張り出し構築すべく橋桁形成用型枠装置で橋桁を分割形成する工程と共に、さらに隣接する橋脚に橋桁柱頭部形成用型枠装置で次の新たな橋桁柱頭部を形成する工程とを同時実施することを順次繰り返し、橋脚上に橋桁を形成したことを特徴とし、
または、
立設された橋脚上に架設される移動架設桁と、
前記移動架設桁から各々懸垂され、前記橋脚のうち橋桁を張り出し構築すべき一方側橋脚の両脇に配置されて移動架設桁の長手方向に移動可能とされた一対の橋桁形成用型枠装置と、
前記移動架設桁から懸垂され、移動架設桁の長手方向端部側に配されて移動架設桁の長手方向に移動可能とされた橋桁の橋桁柱頭部形成用型枠装置と、
を備え、
前記橋桁形成用型枠装置は、移動架設桁から垂下する吊り下げ部材と、該吊り下げ部材に接続され、橋桁を張り出し構築すべき橋脚の橋桁柱頭部を基軸に橋桁架設方向両脇に配置され、橋桁を前記両脇から分割して張り出し構築する橋桁形成用型枠部材と、を有し、
前記橋桁の橋桁柱頭部形成用型枠装置は、移動架設桁から垂下する吊り下げ部材と、該吊り下げ部材に接続され、移動架設桁の長手方向端部側に位置する次の橋桁柱頭部構築方向に配置され、前記橋脚上に橋桁柱頭部を構築する橋桁柱頭部形成用型枠部材と、を有する、
ことを特徴とし、
または、
前記移動架設桁の長さは、前記橋脚間の少なくとも２倍以上の長さに構成されたことを特徴とするものである。
【００１５】
【発明の実施の形態】
以下本発明を図に示す実施例に基づいて説明する。
【００１６】
図１から理解されるように、あらかじめ複数本の橋脚１が所定の間隔を有して立設されている。そして、図１において、向かって左側から右側に向けて橋桁２が架設、構築されることとなる。
【００１７】
符号２０は本発明による橋梁構築装置であり、一般に鋼材をトラス状にして構成された長尺な移動架設桁３と、該移動架設桁３から懸垂された一対の橋桁形成用型枠装置４，４と、やはり前記移動架設桁３の架設方向先端側から懸垂されてなる橋桁柱頭部形成用型枠装置５とを有して構成されている。
【００１８】
移動架設桁３は橋桁２の架設方向へ移動可能とされているが、橋桁２の架設作業時には複数の支持台６によって構築途中の橋桁２上に支持される。
【００１９】
前記橋桁形成用型枠装置４は移動架設桁３から垂下する吊り下げ部材７と該吊り下げ部材７に接続された橋桁形成用型枠部材８とを有して形成され、前記移動架設桁３の長手方向へ移動可能とされている。
【００２０】
そして、一対の橋桁形成用型枠装置４，４は橋桁２を張り出し構築すべき橋脚１（図１では真ん中に位置する橋脚１）の橋桁柱頭部９を基軸にして橋桁２の架設方向両脇に配置されており、橋桁２を前記橋脚１の橋桁柱頭部９からその両脇へ向かって徐々に分割して張り出し構築できるよう構成されている。
【００２１】
ここで、橋桁形成用型枠部材８は図７から理解されるように、構築すべき橋桁２の幅方向両側に配置される一対の側壁用外型枠１０，１０と構築すべき橋桁２の底面側へ配置される底型枠１１とを有し、これら型枠１０，１０，１１は接合梁１２等により連結されて、いわゆる箱状をなす橋桁形成用型枠部材８が構成されている。
【００２２】
しかして、このように構成された一対の橋桁形成用型枠部材８内にコンクリートが打設され、当該コンクリートの固化後、脱型されて徐々に橋桁２の分割張り出し構築がなされる。
【００２３】
次に、橋桁柱頭部形成用型枠装置５は前記移動架設桁３より垂下する吊り下げ部材７と、該吊り下げ部材７に接続された橋桁柱頭部形成用型枠部材１８とを有して構成されており、やはり前記移動架設桁３の長手方向へ移動可能にして構成されている。
【００２４】
ここで、連続ラーメン構造による橋梁の場合には、前記橋桁柱頭部型枠部材１８は、図８から理解されるように、構築されるべき橋桁２の幅方向両側に配置される一対の橋桁柱頭部側壁型枠１３，１３が設けられているが、底型枠は設けられていない。
【００２５】
すなわち橋桁柱頭部形成用型枠１８は橋桁柱頭部９を形成して橋脚１上面と連結しなければならないため、底型枠は設ける必要がないのである。
【００２６】
次に、連続桁構造による橋梁の場合も、すでに完成した橋脚１の上部に底型枠１１を敷き並べる方法をとるため、橋桁柱頭部形成用型枠部材１８には底型枠１１を設けておく必要がないのである（図９参照）。
【００２７】
このように、橋桁柱頭部形成用型枠部材１８は、橋脚１上に橋桁柱頭部９を形成すべく移動、配置されるが、図８，図９，図１１及び図１２から理解されるように、橋脚１の上面に対応する箇所に用いる底型枠１１は橋桁柱頭部形成用型枠部材１８には設けられてはいない。
【００２８】
すなわち、ラーメン構造の橋梁の場合、橋桁柱頭部形成用型枠部材１８における橋脚１の上面に対応する箇所は橋桁柱頭部９と橋脚１とを連通するための空間部１４として構成されており、該空間１４部から橋脚１の上面と形成すべき橋桁柱頭部９とを連結するよう型枠１６が橋桁柱頭部形成用型枠部材１８に配置され、該型枠１６内にコンクリートが打設出来るものとなっている（図１２参照）。
【００２９】
このような構成を採用するため、予め立設されてなる橋脚１先端部と橋桁柱頭部９との施工境界が橋桁柱頭部９の桁下４〜５ｍ程度であったとしても充分に対応できるのである。
【００３０】
なお、連続桁構造の橋梁の場合には図９及び図１１から理解されるように、支承１７の周囲において、橋脚１上で底型枠１１を敷き並べることとなる。しかして、橋桁柱頭部９形成用コンクリートの固化後、前記底型枠１１を脱型することとなる。
【００３１】
ところで、橋桁柱頭部形成用型枠装置５において、前記橋桁２の架設方向前後には前記空間１４を挟んでそれぞれ張り出し型枠１５，１５が設けられている（図１０，図１１，図１２参照）。さらに、この張り出し型枠１５，１５は同図に示すように、橋桁柱頭部９が各々架設方向前後方向に向けて延出する形をなし、かつその底面が上り勾配状の傾斜を持たせて構築出来得る構成ともなっているのである（図１３参照）。
【００３２】
本発明の橋梁構築装置による施工状態につき説明する。
【００３３】
本発明では、図３に示すように一対の橋桁形成用型枠装置４，４での橋桁２の分割張り出し構築作業と、次の橋脚１の橋桁柱頭部９の構築作業とが同時に行える。なお、図において符号２１は補助支柱を示す。
【００３４】
すなわち、図３及び図４に示すように前記作業を同時に進めることが出来、図５に示す如く左側橋桁２部分の接続が完了したら移動架設桁３を橋桁２架設方向へ移動させ、次の橋脚１の上部において支持させる（図６参照）。
【００３５】
そして、前述したように、また、一対の橋桁形成用型枠装置４，４での橋桁の分割張り出し構築作業と、次の橋脚１の橋桁柱頭部９の構築作業とを同時に行うのである（図３、図４参照）。
【００３６】
すなわち、立設された橋脚１上に移動架設桁３を架設し、この移動架設桁３の長手方向に沿い移動可能にして懸垂された一対の橋桁形成用型枠装置４，４で、一の橋脚１に予め形成された橋桁柱頭部両脇から均等に張り出し構築し橋桁を分割形成する工程を実施する。
【００３７】
と同時に、前記移動架設桁３の橋桁１架設方向先端側で懸垂され、移動架設桁３に沿って移動可能な橋桁柱頭部形成用型枠装置５によって、前記一の橋脚１に隣接する橋脚１に新たに橋桁柱頭部９を形成する工程を実施するのである（（図３，図４参照）。
【００３８】
そして、図５，図６から理解されるように前記一の橋脚１側橋桁柱頭部９の一方側橋桁形成部分が、既に形成されてある橋桁形成部分に接続された後には、前記移動架線桁３の先端側を次に隣接する橋脚１上に位置させるよう移動させる。
この状態で前記一の橋脚１に隣接する橋脚１に新たに形成された橋桁柱頭部９両脇からは均等に張り出し構築すべく一対の橋桁形成用型枠装置４，４で橋桁２を分割形成する工程を実施すると同時に、さらに隣接する橋脚１に橋桁柱頭部形成用型枠装置５で次の新たな橋桁柱頭部９を形成する工程を実施し（図６参照）、この工程を順次繰り返し、橋脚１上に橋桁２を形成するのである。
【００３９】
ところで、本発明において移動架設桁３の長さを橋脚１，１間の長さの少なくとも２倍以上の長さとした場合には、図１６から理解されるように全ての複数ある支持台６を橋脚１付近に設置することができる。
【００４０】
これに対し図１７には従来工法における複数支持台６の設置箇所を示す。しかして図１７に示すような従来工法における複数支持台６の置き方では、特に形成途上の橋桁２先端部側に設置された支持台６の反力により橋脚１付近の橋桁２に負の曲げモーメントが発生してしまう恐れがあった。
【００４１】
しかるに、図１６に示すような本発明による複数支持台６の置き方であれば、橋桁２に対しての曲げモーメントの発生を防止できることこととなる。
【００４２】
従って、従来曲げモーメントの発生により橋桁２が撓まないよう、形成された橋桁２のスパンや橋桁２の断面等の条件次第では、補強のための仮設ケーブル等補強部材が必要となることもあったが、本発明によれば仮設ケーブル等補強部材が全く不要となるのである。
【発明の効果】
かくして本発明は以上の構成よりなる。
【００４３】
そして、本発明による橋梁構築方法及び橋梁構築装置であれば、橋梁構築の工程上、その作業を常に所定の順番に沿って行う必要がない、すなわち従来のように橋桁の分割張り出し構築を行っているときは次の橋桁柱頭部の構築作業を同時に行えないとのことがなく、例えば、橋桁柱頭部が構築された橋脚両脇に一対の橋桁形成用型枠装置を配置し、該一対の橋桁形成用型枠装置により橋桁を分割張り出し構築し、その後に前方側（橋桁を構築すべき先端方向側）の橋桁形成用型枠装置を用いて橋桁柱頭部の構築するものでないため、橋桁の分割張り出し構築作業と、次の橋脚の橋桁柱頭部との構築作業を同時に行うことができ、その結果、橋梁全体としての構築工期をきわめて短くすることが出来る。
【００４４】
また、従来のように型枠装置の構造が複雑かつ重厚長大で作業性の悪くなることがないとの優れた効果を奏する。
【図面の簡単な説明】
【図１】本発明による橋梁構築装置の構成を説明する構成説明図である。
【図２】本発明による橋梁構築装置を使用して橋桁及び橋桁柱頭部を同時に構築する状態を説明する概略説明図（その１）である。
【図３】本発明による橋梁構築装置を使用して橋桁及び橋桁柱頭部を同時に構築する状態を説明する概略説明図（その２）である。
【図４】本発明による橋梁構築装置を使用して橋桁及び橋桁柱頭部を同時に構築する状態を説明する概略説明図（その３）である。
【図５】本発明による橋梁構築装置を使用して橋桁及び橋桁柱頭部を同時に構築する状態を説明する概略説明図（その４）である。
【図６】本発明による橋梁構築装置を使用して橋桁及び橋桁柱頭部を同時に構築する状態を説明する概略説明図（その５）である。
【図７】本発明による橋桁形成用型枠部材の構成を説明する構成説明図である。
【図８】本発明による橋桁柱頭部形成用型枠部材の構成を説明する構成説明図（その１）である。
【図９】本発明による橋桁柱頭部形成用型枠部材の構成を説明する構成説明図（その２）である。
【図１０】本発明による橋桁柱頭部形成用型枠部材における張り出し型枠の張り出し方向を説明する説明図である。
【図１１】本発明による橋桁柱頭部形成用型枠部材における張り出し型枠の張り出し方向を側面からみて説明する説明図（その１）である。
【図１２】本発明による橋桁柱頭部形成用型枠部材における張り出し型枠の張り出し方向を側面からみて説明する説明図（その２）である。
【図１３】本発明による橋梁構築装置を使用して橋桁を構築した状態を説明する概略説明図である。
【図１４】従来例による橋桁及び橋桁柱頭部を構築する型枠装置の構成を説明する構成説明図（その１）である。
【図１５】従来例による橋桁及び橋桁柱頭部を構築する型枠装置の構成を説明する構成説明図（その２）である。
【図１６】本発明による移動架設桁を使用して橋桁を構築する際における橋桁の曲げモーメントを説明する概略説明図である。
【図１７】従来例による移動架設桁を使用して橋桁を構築する際における橋桁の曲げモーメントを説明する概略説明図である。
【符号の説明】
１      橋脚
２            橋桁
３      移動架設桁
４      橋桁形成用型枠装置
５      橋桁柱頭部形成用型枠装置
６      支持台
７      吊り下げ部材
８      橋桁形成用型枠部材
９      橋桁柱頭部
１０    側壁用型枠部材
１１        底型枠
１２    接合梁
１３    橋桁柱頭部形成用側壁型枠
１４    空間部
１５    張り出し型枠
１６    型枠
１７    支承
１８        橋桁柱頭部形成用型枠部材
２０    橋梁構築装置
２１    補助支柱
２２    高さ及び勾配調整ブロック
【図１】
2004332425.tif 000003
【図２】
2004332425.tif 000004
【図３】
2004332425.tif 000005
【図４】
2004332425.tif 000006
【図５】
2004332425.tif 000007
【図６】
2004332425.tif 000008
【図７】
2004332425.tif 000009
【図８】
2004332425.tif 000010
【図９】
2004332425.tif 000011
【図１０】
2004332425.tif 000012
【図１１】
2004332425.tif 000013
【図１２】
2004332425.tif 000014
【図１３】
2004332425.tif 000015
【図１４】
2004332425.tif 000016
【図１５】
2004332425.tif 000017
【図１６】
2004332425.tif 000018
【図１７】
2004332425.tif 000019